Podtech/llm-jp-corpus-v4-ja_patent huggingface dataset:
(57)【要約】      （修正有）【課題】レジ袋を持ったときの手の痛みを解消する。【解決手段】レジ袋を方からかけて運べるようにする専用のベルトである。ベルトの先端部分にフックを設け、肩にかけられるようにすることにより、レジ袋の手の食い込みを防止するとともにレジ袋を持ち運ぶ際の利便性が増すものである。【選択図】図１
0003112963.tif 000002
【実用新案登録請求の範囲】
【請求項１】
レジ袋を持ちやすくするために肩にかけられるように先端にフックのついた専用のベルト。
【考案の詳細な説明】
【技術分野】
【０００１】本考案はレジ袋を持ちやすくするために肩にかけられるようにするための専用のベルトに関するものである
【背景技術】
【０００２】スーパーマーケットなどで配られるレジ袋を持ち運ぶ場合、手で持って運んでいた。
【考案の開示】
【考案が解決しようとする課題】
【０００３】レジ袋は手に食い込み、とても持ち辛かった。そこで専用のベルトを使い、肩に掛けられるようにする事でこの問題点を解決している。
【課題を解決するための手段】
【０００４】本考案はレジ袋を肩にかけられるようにするための専用のベルトであり、ベルトの両端にフックを設けレジ袋の取っ手に取り付けて肩にかけられるようにすることでレジ袋の持ち辛さを解消している。
【図面の簡単な説明】
【０００５】［図１］本考案のレジ袋用肩かけベルトの一実施例を示す正面図である。
【図１】
0003112963.tif 000003
(57)【要約】      （修正有）【課題】トイレの使用時や床掃除等の時、又雨の日ズボン、ロングスカートの裾を汚れから防止する器具の提供。【解決手段】クリップとクリップの間を帯状体に布、プラスチック、金属などで継いで形を取り、片方のクリップをズボン又はロングスカートの裾に止めて片方のクリップで止め上げる事により、床や地面からの汚れを防止する。使用していない時は、アクセサリーとして装着しておき、いつでも使用を可能にしたものである。【選択図】図２
0003112966.tif 000002
【実用新案登録請求の範囲】
【請求項１】
クサリ又は布のような帯状体の両端にクリップを取りつけて、ズボン又はロングスカートの裾を汚れから守る器具。
【考案の詳細な説明】
【考案の詳細な説明】
【考案が解決しようとする課題】
【０００１】従来、トイレに入ってズボンをおろした時に、トイレの床にズボンの裾がつき汚れる事がありました。床掃除や自動車を洗う時、又雨の日ズボンやロングスカートの濡れるのが気になる時などに、裾を上げる事で防止できる。
【課題を解決するための手段】
【０００２】ズボン又はロングスカートの裾を片方のクリップではさみ、そして片方のクリップで、ズボン又はロングスカートの上部の部分をはさみ、上に上げる事によって汚れから守るようにした。
【考案の効果】
【０００３】クリップとクリップの間を帯状体に１０ｃｍ程度として、その間を布、プラスチック、金属などで継ぐことによって片方のクリップをズボンの裾にはさみ、ズボンをまくりあげて、他方のクリップをズボンの上方の１部にはさめば、ズボンを床から離しておく事ができる。トイレへ入った時に、床が汚れていてズボンの裾が床について汚れると思った時又、床掃除をする時、ズボンの裾を床から離してズボンの裾を汚れないようにしたり、ぬれないようにする時、自動車の洗車をする時、まくりあげた裾が、作業の間に下におちてきて裾をぬらす可能性がある時、又雨の日にズボン、ロングスカートの裾を上げておくことによって濡れずに汚れる心配なく快適に歩く事が出来る。これら全て裾を上にまくりあげた状態を保つ事を可能にしました。使用していない時は、ズボンの裾もしくは、ズボンのポケットのわくに２つのクリップをはさんでおけば、美的にも良いアクセサリーとしても使用できポケットの中や鞄の中に入れてかさばったりする事がなく、必要な時にすぐに使用できるものです。
【実施例】
【０００４】
【図１】
において示す
１の数字は花のようなイメージであるが、女性の場合は色んなアクセサリーとしてお洒落なものを取りつけて、ズボン又服に合わせて色や形を変え、楽しめる。又、男性にはシンプルなものを、子供にはアニメやキャラクターなど可愛いものを取りつければ楽しんで使用できる。
２の数字は１と３を綱ぐ止め具であるから丈夫なものが望ましい。
３の数字は帯状体のようなもので、ゴールド、シルバーなど鎖のようなものを１に合わせた色でお洒落っぽくすれば楽しめる。
【図２】
において示す
４の数字はクリップで布に挟む部分であり、使いやすい安全なものでしっかり固定するもの。
５の数字はゴムであり、布を傷めない為と、ずれないように滑り止めの効果がある。
【図３】
において示す
６の数字（ａ）はズボンに使用した例。本考案は片方のクリップを裾に止め、片方のクリップを上に止めた状態である。太めのズボンや柔らかい布などは、かなり上まで上げる事が出来る。
７の数字（ｂ）ロングスカートに使用した例。本考案は、片方のクリップを裾に止め、片方のクリップを上に止めた状態である。突然の雨の日などにも裾が濡れて歩きづらい時に適当な位置まで上げて使用出来る。
【図４】
において示す
（ａ）は女性、子供などいつもアクセサリーとして、ズボンの裾に使用した例である。
（ｂ）は男性ズボンのポケットにアクセサリーとして、使用した例である。又、ポケットの中に入れてもかさばったりする事なく、必要な時に使用できる。
【図面の簡単な説明】
【０００５】
【図１】本考案の実施例の正面図。
【図２】本考案の実施例の側面図。
【図３】本考案の実施例をズボン又はロングスカートに使用した状態を示す図。（ａ）はズボンの例、（ｂ）はロングスカートの例を示す。
【図４】本考案を使用していない時アクセサリーとして常時ズボンに備えられている時の参考図である。（ａ）はズボンの例、（ｂ）はズボンの例を示す。
【符号の説明】
【０００６】１．花飾り
２．止め具
３．クサリ
４．クリップ
５．ゴム
６．ズボン
７．スカート
【図１】
0003112966.tif 000003
【図２】
0003112966.tif 000004
【図３】
0003112966.tif 000005
【図４】
0003112966.tif 000006
(57)【要約】      （修正有）【課題】現在使い慣れているお玉の機能を損うことなく、お玉を鍋に入れた時、滑り落ちて中に入り込まないで、しかも鍋の蓋が安定してできる調理用のお玉を提供する。【解決手段】お玉の柄２，５の直線形状を損うことなく、中央部を型抜きと型押しにより前面に湾曲形成４してフック３を設けることにより、鍋の縁になじむ様に引っ掛け、蓋もできる形状とする。【選択図】図１
0003112969.tif 000002
【実用新案登録請求の範囲】
【請求項１】
お玉の柄の中央部を前面に湾曲形成して、引っ掛けができるフックを設けた形状のお玉である。
【考案の詳細な説明】
【技術分野】
【０００１】  本考案は、調理時に使用するお玉に関するもので、お玉を鍋の中に入れた状態で鍋の蓋ができるようにしたものである。
【背景技術】
【０００２】従来の調理用お玉は下記のものを挙げることができる。
▲１▼お玉の柄の部分が直線のもので取り扱い易い（多数市販されている）
▲２▼お玉の柄がＮ字状に曲げられ、お玉が鍋の縁に掛けられ蓋ができるように考案されたもの
【参考文献】
特開平１０−３０９２３７
▲３▼お玉の柄の部分にカギ部を設け，ｈ形状に曲げて鍋の縁に掛けられるように考案されたもの
【参考文献】
実開平７−３５４２
【考案の開示】
【考案が解決しようとする課題】
【０００３】▲１▼お玉の柄が直線のものは、鍋の中にお玉が滑り落ちてしまう。
▲２▼お玉の柄がＮ字状に曲げられたものは、受け皿と取っ手の位置関係のバランスが不具合のため具を掬いにくい（扱いにくい）
▲３▼お玉の柄の部分にカギ部を設けたものは、ｈ形状のため鍋の縁になじみにくく蓋をした場合若干浮き上がる。
【課題を解決するための手段】
【０００４】  お玉の柄の中央部を型抜きと型押しにより前面に湾曲形成して、鍋の縁に引っ掛けることのできるフックを設ける。
【考案の効果】
【０００５】  お玉の柄の中央部を前面に湾曲形成したことにより現在使い慣れている直線の柄の受け皿と取っ手の位置関係を損わないので、使い易く、フック部分で鍋の縁（外周）に引っ掛け、湾曲部が鍋の縁になじんで、蓋をすることができる。
【考案を実施するための最良の形態】
【０００６】  フック部分を鍋の縁に引っ掛け、お玉が鍋の底に滑り込むことを防止し、前面へ湾曲した部分が鍋の縁（外周）になじむため、ごく自然に蓋をすることができる。一般家庭は勿論、バイキング方式の食堂に於いてもお玉をわざわざ鍋の外に置く必要がなくなり、蓋もきれいにでき衛生的である。
【図面の簡単な説明】
【図１】お玉全体の斜視図
【図２】お玉の柄の湾曲形成した部分拡大斜視図
【図３】お玉の使用例の断面図
【符号の説明】
１、取っ手
２、柄直線部
３、フック
４、柄湾曲部
５、柄直線部
６、受け皿
７、鍋
８、蓋
【図１】
0003112969.tif 000003
【図２】
0003112969.tif 000004
【図３】
0003112969.tif 000005
(57)【要約】      （修正有）【課題】サーフボード接水面が疎水性のため水を弾いてしまい、水との摩擦抵抗が大きいという不都合を解決する。【解決手段】サーフボード１接水面に超親水性又は親水性となる材料３をコーティングする。【選択図】図１
0003112653.tif 000002
【実用新案登録請求の範囲】
【請求項１】
サーフボードの接水面に、対水接触角５度以下の超親水性となる材料をコーティングしたサーフボード。
【請求項２】
サーフボードの接水面に、対水接触角２０度以下の親水性となる材料をコーティングしたサーフボード。
【考案の詳細な説明】
【技術分野】
【０００１】  本考案はサーフボードとサーフボード接水面にコーティングする超親水性又は親水性となる材料に関する。
【背景技術】
【０００２】  従来のサーフボードでは、材質がポリエステル樹脂のため接水面の性質は疎水性となっていた（図２）。
【考案の開示】
【考案が解決しようとする課題】
【０００３】  しかし、これでは水を弾いてしまいサーフィンした時、サーフボードと水との摩擦となり抵抗が大きい。
【課題を解決するための手段】
【０００４】  そこで、超親水性又は親水性となる材料をサーフボードの接水面にコーティングすることを考案した（図１）。このコーティングによりサーフボード接水面に親水層ができ、水と水との摩擦となるため抵抗を小さくすることができるのである。
【考案の効果】
【０００５】  よって、本考案のサーフボードでサーフィンした時、水との摩擦抵抗が低減されスピードアップをはかることが出来る。
【考案を実施するための最良の形態】
【０００６】  本考案に係る超親水性又は親水性となる材料３は、図１に示すようにサーフボード接水面にコーティングされている。材料の対水接触角は小さい程よく、サーフボードが重たくならないよう薄膜にコーティングするのが望ましい。
【図面の簡単な説明】
【０００７】
【図１】  本考案に係る超親水性又は親水性となる材料を、サーフボード接水面にコーティングした状態の断面図である。
【図２】  従来のサーフボードの断面図である。
【符号の説明】
【０００８】  １      サーフボード
２      水
３      超親水性又は親水性となる材料
【図１】
0003112653.tif 000003
【図２】
0003112653.tif 000004
(57)【要約】      （修正有）【課題】繊維類に着脱自在の装置を付け膝の触れる場所に装着できる冷え防止パットを提供する。【解決手段】本考案は、繊維類１に磁石などの着脱装置２を設け、装置カバー３にて表面カバーし着脱又取付け位置も自在になり、膝の触れる場所に付けられることにより冷え防止に役立つ。【選択図】図１
0003112651.tif 000002
【実用新案登録請求の範囲】
【請求項１】
繊維パット本体に取り付け部位を設け、磁気・吸盤等を設置し着脱自在にしたところを特徴とするデスク内側両サイドの膝冷や防止パット。
【考案の詳細な説明】
【技術分野】
【０００１】本考案は、繊維類等に着脱装置を設けたデスク内側両サイドパットに関するものである。
【背景技術】
【０００２】事務所・学校等で気温が低い時、スチールデスクの両サイドに膝が触れると一瞬冷やりとし、精神的にも苦痛で膝掛等を掛けて対処していた。
【考案が解決しようとする課題】
【０００３】移動立席等の時、膝掛では、つど膝から取り外し椅子等の上に畳んで置くなど手間がかかり時間的・労働的負担である。従って繊維パット等に着脱機能を備えデスク内側両サイドに装置することにより、膝掛等も必要なく精神的苦痛もなくなり前述の欠点を解決するものである。
【課題を解決するための手段】
【０００４】本考案は、膝掛等をデスクの両サイド内側に分け取り付け部位を設け、磁気・吸盤等を装置し、取り付け・取り外し自在とすることにより問題を解決している。
【考案の効果】
【０００５】上述の様に、本考案の膝冷や防止パットは、着脱装置を設けたので他のところへ移動させ装置も即設置でき、又移動・立席の時も敏速に動けることにより役立つ。
【考案を実施するための最良の形態】
【０００６】繊維類パットの取り付け部位に穴状の物を形成し、磁気・吸盤等を設置し、ワンタッチで着脱できる。
【実施例】
【０００７】以下、添付図面に従って一実施例を説明する。図１は繊維類等の素材、図２は磁気・吸盤等でデスク内側に設置する。【０００８】図２の装置により着脱できることにより個人差に合わせた位置に取り付け自在となる。
【図面の簡単な説明】
【０００９】
【図１】  本考案の膝冷や防止パットの一実施例を示す正面図である。
【図２】  本膝冷や防止パットの一部切欠断側面図である。
【符号の説明】
【００１０】  １．  膝冷や防止パット
２．  磁気
３．  装置カバー
【図１】
0003112651.tif 000003
【図２】
0003112651.tif 000004
(57)【要約】      （修正有）【課題】必要な場所に必要な数だけ犬の吠える声をスピーカーで屋内屋外に流し、侵入者を威嚇し、侵入者の接近を家人に知らせる事が出来る。【解決手段】一定範囲内の人間の動きを感知するセンサーを取り付け、センサーからの電気信号で犬の吠える声をスピーカーで屋内屋外に流し、一定時刻後に投光器による照明を行う、電気的なので吠える回数や声の大きさは自由に選ぶことができる。【選択図】図１
0003112659.tif 000002
【実用新案登録請求の範囲】
【請求項１】
スピーカーによる犬の鳴き声と投光器の組み合わせによる侵入者撃退警報装置。
【考案の詳細な説明】
【考案の詳細な説明】
【考案が解決しようとする課題】
【０００１】  空き巣、放火、強盗など危険な世の中で防犯のために犬を飼っている家庭が多い、犬は食事や散歩など世話が大変である、また、一定範囲外の郵便配達員や小荷物配達員にも吠えるし、犬どうしでも吠え合う、いつまでも吠え続け騒音の元にも成っている問題を有していた。
【考案が解決するための手段】
【０００２】  一定範囲内の人間の動きを感知するセンサーを取り付け、センサーからの電気信号で犬の吠える声をスピーカーで屋内屋外に流し、一定時刻後に投光器による照明を行う、電気的なので吠える回数や声の大きさは自由に選ぶことができる。
【考案の効果】
【０００３】  電気装置なので食事や散歩など世話の必要が無い、一定範囲内の人間の動きを感知するセンサーを取り付けるため、範囲外の人間には反応しない、そして必要な時だけ必要回数発声する、センサーからの電気信号で必要な場所に必要な数だけ犬の吠える声をスピーカーで屋内屋外に流し、侵入者を威嚇し、侵入者の接近を家人に知らせる事が出来る。
【図面の簡単な説明】
【図１】  センサー信号から制御機、スピーカー、投光器の系統図である。
【符号の説明】
１    センサー
２    制御機
３    スピーカー
４    投光器
【図１】
0003112659.tif 000003
(57)【要約】      （修正有）【課題】狭所で重量物を吊上げ移動の際Ｈ型鋼とチェーンブロック結合トロリによって人員削減と、鋼材による冶具のため安全性の確保に優れた冶具を提供する。【解決手段】Ｈ型鋼（メインレール、継足しレール、サポート金具）とチェーンブロック結合トロリの組み合わせから成り、メインレール格納時にはサポート金具に取付けてある継足しレールを取外し、張出時には再び取付けるという構造である。又、メインレール張出、格納時にはレール移動用金具を取付け、レール移動用金具の下部にあるローラーによってスライドさせて行う。【選択図】図４
0003112660.tif 000002
【実用新案登録請求の範囲】
【請求項１】
格納式に組み上げたＨ型鋼にトロリとチェーンブロックを結合したものを取り付けてあり狭いところでもトロリの移動により重量物を吊り上げ移動することが可能という特徴を持った狭所用吊り上げ移動冶具
【考案の詳細な説明】
【技術分野】
【０００１】  本考案は狭所での重量物を吊り上げ、移動、取り付けの際安全に行うものである
【背景技術】
【０００２】  従来、狭所での吊り上げ、移動、取り付けは角材を組み上げて行うと共に人力による作業で行われている
【考案の開示】
【考案が解決しようとする課題】
【０００３】従来の作業では重量物取り扱いのため人員がたくさん必要であると共に▲１▼角材等の破損（折れる、ささくれで刺さる等）▲２▼作業中の挟まれなど危険要素があり作業効率が悪いという問題点があった
【課題を解決するための手段】
【０００４】格納式の吊り上げ冶具にすることにより鋼材の利点である強度が取れトロリが取り付け可能になり重量物を吊り上げの際に移動も可能となる。また、トロリにより従来よりスムーズに移動できるため人員も少なくすむ
【考案の効果】
【０００５】本考案は、従来の問題点を解決するもので、人員の削減、材質を鋼材にすることによる安全面の強化という優れた冶具である
【考案を実施するための最良の形態】
【０００６】１００ｍｍ幅で長さ約２４００ｍｍ（メインレール）、約５００ｍｍ（継足しレール）約７８５ｍｍ（サポート金具）のＨ型鋼をＭ１２前後のボルトで取り付けてある。又、メインレールを張出し、格納させる際レール移動用金具を取り付け（作業時は取り外す）スライドさせる
【実施例】
【０００７】以下、添付図面にしたがって実施例を説明する。図１、２は格納時における上、横から見た全体図である。１は継足しレールで格納時は取り外しておく。図３，４はレール張出時における上、横から見た全体図である。１は継足しレール取り付け時の状態であるが取り付ける前に２のチェーンブロック結合トロリを入れておく。又、メインレールを張出させる際、３のレール移動用金具によりスライドさせて行う。
【図面の簡単な説明】
【０００８】
【図１】本冶具の格納時の上から見た図である
【図２】本冶具の格納時の横から見た図である
【図３】本冶具のメインレール張出時の上から見た図である
【図４】本冶具のメインレール張出時の横から見た図である
【図５】本冶具のレール移動用金具の取付図である
【図６】本冶具のサポート金具の詳細図である
【図７】本冶具の継足しレールの詳細図である
【図８】本冶具のレール移動用金具の詳細図である
【符号の説明】
【０００９】１  継足しレールでメインレール収納時には取り外しておく
２  チェーンブロック結合トロリ
３  レール移動用金具でスライドしやすいよう下部はパイプ構造
【図１】
0003112660.tif 000003
【図２】
0003112660.tif 000004
【図３】
0003112660.tif 000005
【図４】
0003112660.tif 000006
【図５】
0003112660.tif 000007
【図６】
0003112660.tif 000008
【図７】
0003112660.tif 000009
【図８】
0003112660.tif 000010
(57)【要約】      （修正有）【課題】従来の歯ブラシでは、口腔奥部の歯の隙間や糸楊枝等を使用する歯の部分では、歯ブラシの毛の全体がその侵入をさまたげてしまい、十分な歯の洗浄効果が得られなかったという不都合の解消した。【解決手段】歯ブラシの毛１を後退させ、残った先端部の介数の毛２を歯の隙間等に侵入させやすくすることによって、歯の洗浄効果を十分にする。【選択図】図１
0003112657.tif 000002
【実用新案登録請求の範囲】
【請求項１】
歯ブラシの毛の一部を後退させ、残った先端部の介数の毛を歯の隙間等に侵入させやすくすることによって、歯の洗浄効果を十分に高めたことを特徴とする歯ブラシ。
【請求項２】
歯ブラシの毛の一部を後退させ、残った先端部の介数の毛の各一本ごとにラセン状の溝をつけたのを特徴とする歯ブラシ。
【請求項３】
歯ブラシの毛の一部を後退させ、残った先端部の介数の毛のみを使用するさい、後退した毛が歯茎や口唇等などに接触しないように、後退する毛が最下方部の固定部まで移動する部分を、同心円の曲線形にしたことを特徴とする歯ブラシ。
【考案の詳細な説明】
【０００１】本考案は歯ブラシに関するものであり、歯ブラシの毛の部分と柄の形状に工夫を加えることによって、歯ブラシの歯の洗浄効果を高めたものである。
【背景技術】
【０００２】従来の歯ブラシでは、特に奥部の歯の隙間や糸楊枝等を使用する部分には、歯ブラシの毛が効果的かつ的確に届かず、歯の洗浄が不十分であった。
【考案の開示】
【考案が解決しようとする課題】
【０００３】従来の歯ブラシでは、洗浄が不十分のため歯垢や食物カス等が十分に除去されず、口臭及び歯周病等の発生に関与していると思われる。本考案は歯の洗浄効果を高めて、それらの不都合を解決することを課題とする。
【課題を解決するための手段】
【０００４】この課題を解決するための請求項１の考案は、歯ブラシの大部分の毛が先端の介数の毛を残して後退することを特徴とする（図１）。これにより隙間に侵入しやすくなった毛が、従来の歯ブラシでは届かなかった奥部の歯の隙間まで効果的に洗浄して、歯垢、食物カス等を十分に除去してくれる。【０００５】この課題を解決するための請求項２の考案は、毛２の各一本ごとにラセン状の溝をつけたのを特徴とする（図２）。これにより歯の隙間の側面への洗浄効果が高まり、歯垢、食物カス等を十分に除去してくれる。【０００６】この課題を解決するための請求項３の考案は、毛２のみをもちいて歯ブラシを使用する時、後退した毛１が口唇付近に接触して不具合がでないように、３の部分を同心円の曲線にしたことを特徴とする。
【考案の効果】
【０００７】よって、本考案の歯ブラシにより、口腔内の洗浄効果が十分に高まり、虫歯、歯周病等の予防及び軽減に寄与できるものと思われる。
【考案を実施するため最良の形態】
【０００８】図１は、毛２のみを使用して歯の奥部や隙間をブラッシングする場合である。この時毛１は曲線の最下方部に固定されて毛１が歯茎や口唇に接触しないようになっている。又毛２の使用が終了した時は再び図３の状態に毛１を戻し、通常のブラッシングを行うことができる。
【０００９】毛２の丈は毛１の丈より２ｍｍ程低いほうが良い。
また毛１は中程度の硬さ、毛２は毛１よりやや硬めにして径も毛１より太目にしたほうが良い（図２）。
他の寸法等は、通常の一搬的な歯ブラシに準じて決めれば良い。
【図面の簡単な説明】
【００１０】
【図１】毛１を後退させ毛２をもちいて、歯の隙間や奥部等に使用する場合の図である。
【図２】毛１毛２の部分の拡大図である。
【図３】通常の歯ブラシとして使用する場合の図である。
【図４】毛１のスライド部分と曲線部の柄の受け部の断面図である。
【符号の説明】
１  後退する毛の部分
２  固定された先端部の介数の毛
３  曲線部
４０  歯ブラシ
５  毛１のスライド用の把手
【図１】
0003112657.tif 000003
【図２】
0003112657.tif 000004
【図３】
0003112657.tif 000005
【図４】
0003112657.tif 000006
(57)【要約】      （修正有）【課題】マグネトロン（マイクロ波）を使用することにより、従来の加熱器の加熱源である化石燃料（ガス、石油等）によって排出される二酸化炭素（ＣＯ２）等の排出ガスを大気中に放出することを阻止し、地球温暖化防止のための加熱器を提供する。【解決手段】加熱源を、従来の化石燃料（ガス、石油等）からマグネトロン（マイクロ波）に変更する。【選択図】図１
0003112655.tif 000002
【実用新案登録請求の範囲】
【請求項１】
流体加熱器において、加熱源としてマグネトロン（マイクロ波）を利用する事を特徴とする加熱器。
【考案の詳細な説明】
【考案の詳細な説明】
【技術分野】
【０００１】本考案は、加熱器に関する。
【背景技術】
【０００２】加熱器の加熱源として、化石燃料（ガス、石油等）が知られている。
【考案が解決しようとする課題】
【０００３】従来の加熱源である化石燃料（ガス、石油等）を使用すると二酸化炭素（ＣＯ２）が大気中に放出され地球環境の温暖化が促進される。
【課題を解決するための手段】
【０００４】本考案は、加熱源としてマグネトロン（マイクロ波）を使用することによって、二酸化炭素（ＣＯ２）の排出を阻止する。
【実施例】
【０００５】この考案は、マグネトロン（マイクロ波）を利用して流体を加熱しようとするものであって、その構成を図示の実施例について説明すれば、▲１▼はマグネトロン本体、▲２▼はマグネトロン保護材、▲３▼は導波管を示す。▲１▼によって放射されたマイクロ波は、▲２▼を通過し、▲３▼を通って加熱器本体▲１０▼内に入り流体▲４▼を振動させることにより加熱する。
加熱された流体▲４▼は、上部取出口▲５▼、又は下部取出口▲６▼を通り外部に放出される。
なお、図中▲９▼は加熱促進材、▲１１▼は流体入口、▲１２▼は内圧計座、▲１３▼は逃し弁座、▲１４▼は本体据付脚を示し、▲７▼はマグネトロンによるマイクロ波の流れを示し、▲８▼は加熱後の流体の流れを示す。
【考案の効果】
【０００６】本考案に係るマグネトロン（マイクロ波）による流体加熱器は、従来の化石燃料（ガス、石油等）を加熱源としたものに比べ直接流体内部を加熱するため、排気ガス管（煙突）を必要とせず、従来の加熱方式より熱効率に優れている。
【図面の簡単な説明】図面はこの考案の一実施例を示したもので、全体組立断面図である。
【符号の説明】
▲１▼・・・マグネトロン本体
▲２▼・・・マグネトロン保護材
▲３▼・・・導波管
▲４▼・・・流体
▲５▼・・・上部取出口
▲６▼・・・下部取出口
▲７▼・・・マイクロ波
▲８▼・・・加熱後流体
▲９▼・・・加熱促進材
▲１０▼・・・加熱器本体
▲１１▼・・・流体入口
▲１２▼・・・内圧計座
▲１３▼・・・逃し弁座
▲１４▼・・・据付脚
【図１】
0003112655.tif 000003
(57)【要約】      （修正有）【課題】ドプラ血流速度測定の誤差を容易に最小限にでき、被験者への苦痛も低減できる。また、超音波検査者の技術的差がなくなる。【解決手段】そこで、超音波の減衰が少ない材質で作られた楔状の斜入発生部と、これを探触子に装着可能とするための保持部を備えた。これにより、斜入発生部の角度によってあらかじめ探触子から発生する超音波ビーム方向を斜入する事ができ、血流方向となす角度を容易に６０°以内にすることができる。【選択図】図１
0003112658.tif 000002
【実用新案登録請求の範囲】
【請求項１】
超音波の減衰が少ない材質で作られた楔状の斜入発生部と、これを探触子に装着可能とするための保持部を備えた超音波検査補助具。
【考案の詳細な説明】
【技術分野】
【０００１】  本考案は、超音波検査によるドプラ血流速度測定を容易にする超音波検査補助具に関する。
【背景技術】
【０００２】  超音波検査によるドプラ血流速度測定を施行するために探触子を直接被検者に接触させていた。（図２）
【考案の開示】
【考案が解決しようとする課題】
【０００３】    しかし、ドプラ血流速度測定の誤差を最小限にするためには探触子から発生する超音波ビーム方向と血流方向のなす角度を６０°以内にすべきであると言われているが、現状ではこの角度で測定する事が困難である場合や被検者への探触子の圧迫による苦痛を与える事がある。
【課題を解決するための手段】
【０００４】  そこで、超音波の減衰が少ない材質で作られた楔状の斜入発生部と、これを探触子に装着可能とするための保持部を備えた超音波検査補助具を考案した（図１）。
この超音波検査補助具により、斜入発生部の角度によってあらかじめ探触子から発生する超音波ビーム方向を斜入する事ができ、血流方向とのなす角度を容易に６０°以内にすることができる。
【考案の効果】
【０００５】  よって、本考案の超音波検査補助具により、ドプラ血流速度測定の誤差を容易に最小限にでき、被検者への苦痛も低減できる。また、超音波検査者の技術的差がなくなる。
【考案を実施するための最良の形態】
【０００６】  本考案に係わる超音波検査補助具１は、図１に示すように、超音波の減衰が少ない材質で作られた楔状の斜入発生部２を備えている。そして、この保持部３により探触子４に斜入発生部２を装着し被検者５へ密着させ使用する。
斜入発生部角度ａは目的とする探触子４から発生する超音波ビーム方向８と血流方向７のなす角度ｂを６０°以内を可能にする角度であれば良く被検者の血管走行の角度に応じて決めれば良い。
【図面の簡単な説明】
【０００７】
【図１】  本考案に係わる超音波検査補助具を、探触子に装着し、ドプラ血流速度測定に使用した図である。被検者は横断図で血管を示している。
【図２】  従来のドプラ血流速度測定状態の図である。
【符号の説明】
【０００８】  １    超音波検査補助具
２    斜入発生部
３    保持部
４    探触子
５    被検者
６    血管
７    血流方向
８    超音波ビーム方向
ａ    斜入発生部角度
ｂ    超音波ビーム方向と血流方向のなす角度
【図１】
0003112658.tif 000003
【図２】
0003112658.tif 000004
(57)【要約】      （修正有）【課題】ブックエンド本体及び、書籍，書類ファイル等が、横滑りを起こして倒れるのを防止する。【解決手段】ブックエンドの底面全体及び舌片部２，水平部３上面に、糸芯／塩化ビニール製の滑り止めシ−ト４を敷設した。これにより、書籍，書類ファイル等または、軽量の封筒なども横滑りを、起こさず単独にて自立保持が可能となる。【選択図】図１
0003112661.tif 000002
【実用新案登録請求の範囲】
【請求項１】
書籍，書類ファイル等が単独でも、横滑りを起こさず自立保持できるようにスチ−ル，プラスチック，鋼板製などの各素材のブックエンドの底面全体及び舌片部，水平部上面に、糸芯／塩化ビニ−ル製などの摩擦力の大きい滑り止めシ−トを敷設したブックエンド。
【考案の詳細な説明】
【技術分野】
【０００１】  本考案はスチ−ル棚，机上等で用いられるブックエンドに関するものである。
【背景技術】
【０００２】  従来のブックエンドでは、書籍，書類ファイル等を挟持する構造である。
【考案の開示】
【考案が解決しようとする課題】
【０００３】  書籍，書類ファイル等が、単独では横滑りを起こしていた。
又自重のある書籍等ではブックエンド本体も横滑りを起こしていた。
【課題を解決するための手段】
【０００４】  そこで、書籍，書類ファイル等が単独であっても自立保持できるようにブックエンドの底面全体及び舌片部，水平部上面に、滑り止めシートを敷設すことを考案した。
【考案の効果】
【０００５】  よって本考案のブックエンドによって、書籍，書類ファイル等または、軽量の封筒なども横滑りを、起こさず単独にて自立保持が可能となる。
【考案を実施するための最良形態】
【０００６】  本考案に係るブックエンドは、図２，（１）（２）に示すように底面全体及び舌片部，水平部上面に、糸芯／塩化ビニ−ル製の滑り止めシ−トを敷設した。
摩擦力の大きい表面形状の凹凸の有るものが望しい。
【図面の簡単な説明】
【０００７】
【図１】本考案に係る各形状のブックエンドの斜視図である。
【図２】（１）斜線部分はブックエンドの底面に滑り止めシ−ト敷設をした部分を示す図である。（２）斜線部分はブックエンドの舌片部，水平部上面に滑り止めシ−トを敷設した部分を示す図である。
【符号の説明】
１  ブックエンド立設部
２  ブックエンド舌片部
３  ブックエンド水平部
４  滑り止めシ−ト
【図１】
0003112661.tif 000003
【図２】
0003112661.tif 000004
(57)【要約】      （修正有）【課題】昼間の日射量が少ない時や夜間に、蓄熱材をヒーターを用いて暖房することを目的とするシステムを提供する。【解決手段】ソーラーウォールシステム内側の吸引室内に蓄熱材とヒーターを配設することにより、日射量の多い昼間は、太陽熱を利用して暖房するとともに蓄熱材に蓄熱し、夜間や日射量の少ない時は、蓄熱材の放熱、もしくはヒーターの過熱によって暖房する。太陽熱とヒーター加熱を使い分けて暖房するので、通常の暖房器具よりもエネルギー消費量が少なく、また従来のソーラーウォールシステムよりも暖房能力が高いシステムを提供できる。【選択図】図２
0003112663.tif 000002
【実用新案登録請求の範囲】
【請求項１】
ソーラーウォールシステム内側の吸引室内に、蓄熱材とヒーターを配設することを特徴としたソーラーウォールシステム。
【考案の詳細な説明】
【技術分野】
【０００１】  本考案は、夜間や悪天候等で日射量の少ない時に、蓄熱材とヒーターを用いて暖房するソーラーウォールシステムに関するものである。
【背景技術】
【０００２】  太陽熱を利用して暖房を行う方式として、ソーラーウォールを利用した暖房システム（ソーラーウォールシステム）が注目されている。このソーラーウォールとは、アルミ板等で形成した黒色表面に１．５ｍｍ程度の小孔を、開口率が０．３〜１％となるように穿設して形成された太陽熱集熱板のことである。【０００３】  ソーラーウォールの内側に吸引室を形成、その小孔を通して外気を吸引することで、冬期において外気を最高約４０度に昇温した空気が得られ、これを室内に直接導入することで、室内の換気と暖房が行えるシステムである。【０００４】  このソーラーウォールは、化石燃料を使わずに太陽熱で外気を２０℃以上に昇温できるので、主として冬期の暖房用熱源に使用することで、冬期の暖房用の燃料費を大幅に低減でき省エネが図れるとされている。【０００５】  また、ソーラーウォールを用いて生成した暖気を蓄熱用空間の床下土間空間に蓄熱させて、夜間の暖房、あるいは暖房の補助に用いることができるシステムがある。（特許文献１参照）
【特許文献１】  特許２００５−０２４１３９号公報
【考案の開示】
【考案が解決しようとする課題】
【０００６】  従来のソーラーウォールシステムは、昼間の暖房に用いるためのシステムであり、夜間の為の暖房に有効なシステムではない。【０００７】  特許文献１では、昼間の悪天候等で日射量が少ない時には、十分に蓄熱でき無い為、暖房効率が悪くなる。【０００８】  この考案は、昼間の日射量が少ない時や夜間に、蓄熱材とヒーターを用いて暖房することを目的とするシステムである。
【課題を解決するための手段】
【０００９】  そして、本考案は、上記の目的を達成するために、建築物本体の壁面にソーラーウォールシステムを設置し、システム内部の吸引室内に蓄熱材とヒーターを配設している。【００１０】  上記の解決手段による作用は、次の通りである。吸引室内に配設した蓄熱材は、日射量の多い昼間にソーラーウォールを用いて生成した暖気を蓄熱し、日射量が少なくなった夕方、夜間に放熱して暖房する。
また、悪天候等で昼間の日射量が少ない時には、吸引室内に配設したヒーターで加熱することにより、蓄熱材へ蓄熱するのと同時に暖房もする。
【考案の効果】
【００１１】  上述したように本考案のソーラーウォールシステムは、日射量の多い昼間は、太陽熱を利用して暖房するとともに蓄熱材に蓄熱し、夜間や日射量の少ない時は、蓄熱材の放熱、もしくはヒーターの過熱によって暖房する。太陽熱とヒーター加熱を使い分けて暖房するので、通常の暖房器具よりもエネルギー消費量が少なく、また従来のソーラーウォールシステムよりも安定した暖房システムを提供できる。
【図面の簡単な説明】
【００１２】
【図１】ソーラーウォールシステム断面図、昼間の日射量の多い時、太陽熱で蓄熱と暖房
【図２】ソーラーウォールシステム断面図、夜間の日射量の無い時、蓄熱材の放熱で暖房
【図３】ソーラーウォールシステム断面図、昼間の日射量が少ない時、ヒーターで蓄熱と暖房
【図４】ソーラーウォールシステム断面図、夜間の日射量の無い時、ヒーターで蓄熱と暖房
【符号の説明】
【００１３】１  ソーラーウォールシステム
２  太陽熱集熱板（ソーラーウォール）
３  蓄熱材
４  ヒーター
５  壁部
【図１】
0003112663.tif 000003
【図２】
0003112663.tif 000004
【図３】
0003112663.tif 000005
【図４】
0003112663.tif 000006
(57)【要約】      （修正有）【課題】ペットボトルのキヤップを、開栓後、紛失又は汚染が防止出来るペットボトルを提供するものである。【解決手段】ペットボトル本体１肩部分に３点で構成する突起２状のキヤップホルダーを設けるものである。【選択図】図１
0003112667.tif 000002
【実用新案登録請求の範囲】
【請求項１】
飲料用ペットボトル（１）の肩部分に３点の突起（２）を設ける、ペットボトル使用の際にはずしたキヤップ（３）を肩部分に設けた３点で構成された突起に、ワンタッチで取り付け保持できるペットボトル
【考案の詳細な説明】
【考案の詳細な説明】
【産業上の利用分野】
【０００１】この考案は飲料用ペットボトルの開栓後、紛失、汚染の防止に関するものである
【背景技術】
【０００２】従来、開栓後のキヤップは、手に持って居るか、付近に置いて置くかであった。
【考案が解決しようとする課題】
【０００３】開栓後に、ボトル本体とキヤップが離れない事である。
【課題を解決する為の手段】
【０００４】本考案は、それらの欠点を除く為に発明されたもので、これを図面について説明すれば、ペットボトル（１）の肩部分に、３点で構成された突起（２）を設けたものである。
【実施例】
【０００５】実施に当っては、次の様な事が考えられる、３点に設けた突起は、キヤップの内側の構造に合わせ、幾分外側に開いた形状が、理想的なホルダーとしての機能を果たす事となる。
【考案の効果】
【０００６】したがって、開栓後のキヤップ（３）を、ボトル本体に設けた突起状ホルダー（２）に取り付ける事によって、紛失とか、汚染等に犯される事なく再利用もできる。
【図面の簡単な説明】
【図１】        本考案の正面図である。
【図２】        本考案の側面図である。
【符号の説明】
１はボトル本体
２は３点で構成された突起状ホルダー
３はキヤップ
【図１】
0003112667.tif 000003
【図２】
0003112667.tif 000004
(57)【要約】      （修正有）【課題】【解決手段】手提部分を４つ設ける。【効果】手持部分が２つから４つになることにより、使用時の支持部分の圧力が減少し、従来の不具合が改善され、また、使用の際に開口部が従来のものより狭くなるため雨天時又は降雪時の雨又は雪の浸入を減少できる。【選択図】図１
0003112688.tif 000002
【実用新案登録請求の範囲】
【請求項１】
上部に４つの手提部分と開口部を持つ買物袋。
【考案の詳細な説明】
【技術分野】
【０００１】本考案は従来の買物袋の形態を変更することにより、使用者の負担を減らす。また、再使用を即し環境分野にも貢献する。
【背景技術】
【０００２】従来の買物袋は手提部分が２つ。手提部分の他に羽状のものを有するものもある。
【考案の開示】
【考案が解決しようとする課題】
【０００３】従来のものは比較的重いものを入れた際、手提部分が伸び支持面積の減少により手又は腕にくい込み手又は腕に負担がかかる、場合により手又は腕の支持部分の鬱血、手持部分が伸びて手提部分が切れてしまうことがある。また、従来のものには袋に羽状のものを有しているものもあり結べるようになっているが、使用されていない場合がある。
【課題を解決するための手段】
【０００４】手提部分を４つとする。
【考案の効果】
【０００５】手持部分が２つから４つになることにより、使用時の支持部分の圧力が減少するため、〔０００３〕の不具合が従来のものと比べ良くなる。また、使用の際に開口部が従来のものより狭くなるため雨天時又は降雪時の雨又は雪の浸入を減少できる。
【考案を実施するための最良の形態】
【０００６】この考案は手提部分４つ有することであり、形状、構造、製造方法は限定しない。この考案を有した買物袋の製造又は販売については、考案者又は実用新案登録出願人の許可を書面で受けた従来の買物袋製造企業、従来の買物袋販売企業、その他企業に限り製造又は販売することができる。
【図面の簡単な説明】
【０００７】
【図１】図１は外観イメージ図である。
【符号の説明】
【０００８】１は手提げ部分である。
２は袋部分である。
【図１】
0003112688.tif 000003
(57)【要約】      （修正有）【課題】重い荷物であっても軽く少ない力で運搬する事が出来る運搬具を提供する。【解決手段】本考案は板本体（１）を腹部に密着するような曲がりを付けた形状の本体（１）と荷受部（２）と荷物を受け止めるストッパー部（３）とその両端に締め付けベルトを取り付け、本体を腹部に当て、締め付けベルトで腰に締め付けて荷物を荷受部に乗せて運搬する。【選択図】図２
0003112686.tif 000002
【実用新案登録請求の範囲】
【請求項１】
板本体を腹部に密着するような曲がりをつけた形状の腹当板に荷物を乗せる荷受部を本体腹当板の表面に突き出し、本体の両側面に身体を締め付けるベルトを取り付けた運搬具。
【考案の詳細な説明】
【技術分野】
【０００１】本考案はベルトと荷物乗せ板を連結させ、組み合わせた運搬具に関するものである。
［背景技術］【０００２】物を両腕で前に抱えて運搬する時、物を持ち上げる力と支える力の両方の力が両腕に掛かるので、重い荷物を持ち運びするのに大変困難である
［考案の開示］
［考案が解決しようとする課題］【０００３】物を持ち運びする場合、物を前に両腕で抱えて運ぶのが一般的である。
重い荷物を持ち運びする時などは身体全体に大変負担がかかり疲労度が増大し作業性にも欠ける。
このような欠点を解決しようとするものである。
［課題を解決するための手段］【０００４】本考案は図面に示す本体（１）と荷物を乗せる荷受部（２）と荷受部に乗せた荷物を受け止める為のストッパー部（３）から構成され、このストッパー部の両端にベルトを取り付け、このベルトにて本体が腹部に当たるように腰に装着する。
［考案の効果］【０００５】従来両腕に抱えて持ち運びするような荷物は持ち上げる力と前方に支える力の両方の力を必要とし、運搬に大変困難である。
従って本考案の運搬具を使用した場合、荷物を荷受部に乗せた時荷物の重みで本体腹当部の下部方向に添って、荷物の重みを腹部で受け両腕で持ち上げる力は、腹部と腰で受けるので軽く荷物を両腕で支えるだけで容易に荷物を運搬する事が出来る。
［考案を実施する為の最良の形態］【０００６】本体の荷物ストッパー部の両端に取り付けたベルトにより本体を前方腹部に当るように締め、荷受部に物を乗せる事により下腹部と腰に荷物の重量が加わる態勢となる。
［実施例］【０００７】添付画面に従って一実施例を説明する。
本体（１）はアルミ材，又は耐久性プラスチックス等，適宣素材にて一体化形成し本体内側は腹部に密着するように曲がりを付け、外側には荷物を乗せる為の荷受部（２）を本体中心より上方向の位置に本体横の両端まで直角に突き出し本体上部の両側面に取り付けられたベルト（４）にて腰に締め、荷受部の上面に荷物を乗せ両方の腕で荷物の前方を支えて運搬する。
この時、乗せた荷物の重量で、本体腹当部に加わる力は下部方向に添って腹部と腰に加わり、持ち上げる力は必要とせず、荷物の前方だけを軽く両腕で支える力だけで済む。
従って従来のように荷物を持ち上げて運ぶという困難な作業を容易に運搬する事が出来る。
又、荷受部に重量の大きい荷物を乗せた場合、大きな力が加わるので荷受部下面と腹当部のコーナーに補強板を取り付け荷受部の強度を増すことになる。
【図面の簡単な説明】
【０００８】［図１］  本考案の斜視図
［図２］  本考案の使用例を示す斜視図
【符号の説明】
【０００９】（１）は本体腹当部
（２）は荷受板
（３）は荷物ストッパー
（４）は締め付けベルト
【図１】
0003112686.tif 000003
【図２】
0003112686.tif 000004
(57)【要約】      （修正有）【課題】差し換えて、上と下面のそれぞれが使用できるようにし、使用後も簡単に洗え何度でも使用できる拭取り具の提供。【解決手段】上下面を拭取り面とした袋状のカバーを挿入して装着する電気掃除機の吸込口部に取り付ける拭取り具。１は、袋状のカバー、１ａは、表面、１ｂは、裏面、２は、テープ。【選択図】図２
0003112681.tif 000002
【実用新案登録請求の範囲】
【請求項１】
中央に吸込パイプを連ね、且つ底面を吸込面とした平板状の吸込部と上下面をそれぞれ拭取り面とした袋状の左右カバーで成し、しかもこの左右の袋状のカバーを前記平板状の吸込部の側面より挿入して装着することを特徴とした電気掃除機の拭取り具。
【請求項２】
端部に吸込パイプを配し、底面を吸込面とした平板状の吸込部と上下面をそれぞれ拭取り面とした袋状のカバーとで成し、しかもこの袋状の拭取り具を前記平板状の吸込部に挿入して装着することを特徴とした電気掃除機の拭取り具。
【請求項３】
平板状の吸込部の面に袋状のカバーと相互に係合するテープを貼着したことを特徴とした請求項１・２に記載の電気掃除機の拭取り具。
【考案の詳細な説明】
【技術分野】
【０００１】  この考案は電気掃除機の吸込口部に取り付ける拭取り具に係わる。
【背景技術】
【０００２】  従来、電気掃除機の吸込口に取り付けられる布又は紙製拭取り具は周知である。しかしながら、この周知の拭取り具は単に平面上のものであるから、拭取り面は一面に限られており、その一面を使用すると破棄しなければならなかった。
【考案の開示】
【考案が解決しようとする課題】
【０００３】  本考案品は、拭取り具を袋状のカバーとしてそれぞれの上下面の使用と、さらに使用後袋状のカバーである拭取り具は、簡単に洗え何度でも使用することができる。
【課題を解決するための手段】
【０００４】  底面を吸込面とした平板状の吸込部に、上下面を拭取り面とした袋状のカバーである拭取り具を挿入して装着する電気掃除機の拭取り具。
【考案の効果】
【０００５】  （１）請求求項１及び２により、電気掃除機の吸込口に袋状のカバーとした拭取り具を挿入して装着したから、その上下の一方面を使用した後、更に裏返して反対面も使用でき、したがって一面のみを拭取り面としていたものに比し経済的である。また、袋状カバーであるため取り付け取り外しが簡単で、且つ、使用後簡単に洗え、何度でも使用することができるとともに、電気掃除機での清掃と同時に拭き掃除もでき、一石二鳥である。
（２）請求項３により、電気掃除機の吸込口上部に相互に係合するテープを貼着することで、袋状カバーを被せてもずれずに固定することができる。
【考案の実施するための最良の形態】
【０００６】  以下、本考案を実施するための最良の形態を実施例の図面に基づいて説明する。
【実施例】
【０００７】  図１は、本考案に係わる拭取り具を示す斜視図を示し、綿・アクリル等の合成繊維で編成された伸縮性のある編地で袋状のカバー１としている。このカバー１は、上面１ａの拭取り面と、下面１ｂの拭取り面とよりなっている。図２は、この拭取り具である袋状のカバー１を電気掃除機の平板状の吸込部３に左右から挿入してテープ２で固定して装着している。図３は、図２の裏面を示したものである。図４は、他の実施例で、端部から袋状のカバーを挿入してテープ２で固定して装着している。図５は、図４の裏面図である。
【図面の簡単な説明】
【図１】拭取り具の斜視図
【図２】電気掃除機吸込口上部に袋状のカバーを装着した正面図
【図３】同上の裏面図
【図４】他の実施例を示す正面図
【図５】同上の裏面図
【符号の説明】
１……袋状のカバー
１ａ…表面
１ｂ…裏面
２……テープ
３……吸込口部
【図１】
0003112681.tif 000003
【図２】
0003112681.tif 000004
【図３】
0003112681.tif 000005
【図４】
0003112681.tif 000006
【図５】
0003112681.tif 000007
(57)【要約】      （修正有）【課題】パークゴルフのボールを捕球する際に足腰を曲げての前屈み捕球、また寒中期間の素手による冷感捕球等を苦痛に感じる愛好家に対し身体に無理なく、また装着した状態でのプレーを可能にし、さらに装着部分のトラブルに対し簡単即時対応を可能にする着脱式ボール捕球用補足具を提供する。【解決手段】パークゴルフクラブ１のグリップ先端部にパークゴルフボール４を挟み込む一対の爪を形成した帯状面ファスナーをグリップ２に巻付けだけの簡単装着と軽量化を実現し、装着部分の弛みによるトラブルの解消と装着したままでのプレーを可能とするパークゴルフの着脱式ボール捕球用補足具３を提供する。【選択図】図１
0003112685.tif 000002
【実用新案登録請求の範囲】
【請求項１】
ボールを捕球する輪状の爪一対とそれをゴルフクラブに装着する帯状面ファスナーより形成され、爪部分は上辺部の特定位置を外側に広げ且つボールの曲率に合致するように周縁を湾曲化しボールの捕獲の向上を図り捕球をサポート、帯状面ファスナーはフック面とループ面を対で使用し各々の裏面に爪一対を最適位置に粘着等を施しベルト状に結合させた着脱式ボール捕球用補足具。
【考案の詳細な説明】
【技術分野】
【０００１】本考案は、パークゴルフコース内及びカップの中のパークゴルフボールを容易に捕球することを目的とした着脱式の捕球用補足具に関するものである。
【背景技術】
【０００２】従来のボール捕球には中空半球形をした携帯型の捕球具としてのものがある。（例えば実用新案文献１参照）
また、ゴルフクラブ自体に装着可能とした捕捉具としたものもある。（例えば、実用新案文献２参照）【０００３】従来のボール捕球具について説明する。携帯型の捕球具は多少前屈み状態での捕球となるため足腰への負担がかかり、足腰の弱い人や高齢者には捕球に対して苦痛である。
また，携帯してのプレーになる為、利便性に欠ける。後者の装着型については、プレー中に捕球部の爪取付け個所の付け根部分に弛みが生じた時、ブレなどにより捕球に支障が生じた時の即時対応（部材・工具等を要す）が難しい。【０００４】
【実用新案文献１】
実用新案登録第３０８７３２３号
【実用新案文献２】
実用新案登録第３０９８７３４号
【考案の開示】
【考案が解決しようとする課題】
【０００５】足腰を曲げての前屈み捕球また寒中期間の冷感捕球が苦痛になっている愛好家が少なくない現状にあった。【０００６】本考案は、このような問題に対して身体に優しく、軽量でグリップに装着した状態でのプレーを可能にし、さらに捕球部分の簡素化によりトラブルを解消したボール捕球を実現することを目的とするものである。
【考案が解決するための手段】
【０００７】本考案はゴルフクラブのグリップ先端部に着脱式ボール捕球用補足具を装着し、上記の目的を達成するものである。ボールを挟み込む一対の爪を形成した帯状の面ファスナーをグリップに巻き付けるだけで誰にでも簡単に装着できるものである。また、プレー中における装着部分のトラブルも工具等を必要とせず簡単に対応できるものである。
【考案の効果】
【０００８】本考案のパークゴルフボール捕球用補足具はゴルフクラブのグリップエンドに装着し、クラブの一体化（図３）を実現し次のような効果がある。
（１）カップインしたボールを前屈みすることなく立ったままで捕球することができ足腰の負担を軽減する。
（２）寒中期間時また荒天時のプレーにおける素手による捕球から解放され冷感を軽減する。
（３）装着したままプレーを妨げることなく使用することが可能である。
（４）帯状面ファスナーの採用による着脱式で巻付・取り外しが容易で簡便である。
【考案を実施するための最良の形態】
【０００９】以下、本考案の実施の形態を図１〜図３に基づいて説明する。【００１０】図１は、１．パークゴルフクラブの２．グリップの先端に３．ボール捕球用補足具を巻き付け装着しゴルフクラブとの一体化を図る。図２は２．グリップに装着した補足具の装着・捕球状態の外観を示す。
本考案の、ボール捕球用補足具は、捕球するための輪状の５．爪一対とこれを最適位置に固定する帯状面ファスナーより形成され図３が示すようにシンプルなものである。
ボールを捕球すための５．爪一対を図２が示すように、帯状面ファスナーを巻き付けた時、向い合う位置に張り合せ固定し、かしめにて補強固定する。また、５．爪は連結パイプで補強する。５．爪は上辺部を外側に広げ且つボールの曲率に合致するように周縁を湾曲に形成し、捕球する際にボールの上面を押え付けやすい構造としている。
ボールを挟持する５．爪は（図２（２）参照）ボールが輪状の爪の中心に収まった位置が最適位置となり、グリップの形状に合わせ装着する。
使用方法は、図１が示すように１．パークゴルフクラブを逆さにし３．ボール捕球用補足具をボールに押付けて爪に挟み捕球する。又、ボールの取外しも力を要せずに外せる。帯状面ファスナーを採用した唯一の着脱式パークゴルフボール捕球用補足具である。
【図面の簡単な説明】
【００１１】
【図１】ボール捕球用補足具の使用解説図
【図２】ボール捕球用補足具の外観図
【図３】ボール捕球用補足具の構造図
【符号の説明】
【００１２】１．パークゴルフクラブ
２．グリップ
３．ボール捕球用捕足具
４．パークゴルフボール
５．爪
６．面ファスナー
７．かしめ孔
８．連結パイプ
【図１】
0003112685.tif 000003
【図２】
0003112685.tif 000004
【図３】
0003112685.tif 000005